(57)【要約】【課題】建具と開口枠とのデザイン上の統一感を保持しつつ、美観が損なわれることなく安価にリフォームできるようにする。【解決手段】開口部１４の内面に取り付けられた既設の開口枠２０を新たな開口枠２２に交換する際には、まず、既設の開口枠２０を開口部１４の内面から取り外す。そして、第１長尺部材３６の第１見切板３６ｂを壁１０の一方面に配置して汚れ２４や傷２６を覆い隠すとともに、第１固定板３６ａを開口部１４の内面に配置する。また、第２長尺部材３８の第２見切板３８ｂを壁１０の他方面に配置して汚れ２４や傷２６を覆い隠すとともに、第２固定板３８ａを開口部１４の内面に配置する。その後、第１固定板３６ａおよび第２固定板３８ａに新たな開口枠２２を重ね合わせてこれを開口部１４の内面に固定する。【選択図】    図８
2004239006.tif 000002
【特許請求の範囲】
【請求項１】
開口部の内面に取り付けられる見切部材であって、
前記開口部の内面に固定される第１固定板と、前記第１固定板の幅方向一方端縁から延びて前記壁の一方面に配置される第１見切板とを有するＬ字状の第１長尺部材、および
前記開口部の内面に固定される第２固定板と、前記第２固定板の幅方向一方端縁から延びて前記壁の他方面に配置される第２見切板とを有するＬ字状の第２長尺部材を備える、見切部材。
【請求項２】
開口部の内面に取り付けられた既設の開口枠を新たな開口枠に交換する、開口枠のリフォーム工法であって、
（ａ）前記既設の開口枠を前記開口部の内面から取り外し、
（ｂ）Ｌ字状の第１長尺部材の一方辺を前記壁の一方面に配置するとともに他方辺を前記開口部の内面に配置し、
（ｃ）Ｌ字状の第２長尺部材の一方辺を前記壁の他方面に配置するとともに他方辺を前記開口部の内面に配置し、
（ｄ）前記第１長尺部材および前記第２長尺部材のそれぞれの他方辺に新たな開口枠を重ね合わせてこれを前記開口部の内面に固定する、開口枠のリフォーム工法。
【請求項３】
前記第１長尺部材および前記第２長尺部材のそれぞれの他方辺を、スペーサを介して前記開口部の内面に配置するようにした、請求項２に記載の開口枠のリフォーム工法。
【発明の詳細な説明】
【０００１】
【発明の属する技術分野】
本発明は、建物における開口部に取り付けられた既設の開口枠を新たな開口枠に交換するのに用いる、見切部材および開口枠のリフォーム工法に関する。
【０００２】
【従来の技術】
建物における開口部１の内面には、図１２に示すように、開口枠２が取り付けられており、この開口枠２によって建具（ドアまたは引戸等）３が支持されている。そして、従来、既設の建具３を他のものに交換する際には、「開口枠２はそのまま残す工法」，「壁４とともに開口枠２を破壊して交換する工法」，「壁４を破壊せずに開口枠２を交換する工法」のいずれかが採用されていた。
【０００３】
【発明が解決しようとする課題】
しかし、「開口枠２はそのまま残す工法」では、建具３と開口枠２とのデザイン上の統一感が損なわれるおそれがあり、「壁４とともに開口枠２を破壊して交換する工法」では、コスト高になるおそれがあった。また、「壁４を破壊せずに開口枠２を交換する工法」では、開口枠２を取り外すときに壁４の表面にあるクロスに汚れや傷が生じるため、美観が損なわれるおそれがあった。
【０００４】
それゆえに、この発明の主たる目的は、建具と開口枠とのデザイン上の統一感を保持しつつ、美観が損なわれることなく安価にリフォームすることのできる、見切部材および開口枠のリフォーム工法を提供することである。
【０００５】
【課題を解決するための手段】
請求項１に記載した発明は、「開口部１４の内面に取り付けられる見切部材１６であって、開口部１４の内面に固定される第１固定板３６ａと、第１固定板３６ａの幅方向一方端縁から延びて壁１０の一方面に配置される第１見切板３６ｂとを有するＬ字状の第１長尺部材３６、および開口部１４の内面に固定される第２固定板３８ａと、第２固定板３８ａの幅方向一方端縁から延びて壁１０の他方面に配置される第２見切板３８ｂとを有するＬ字状の第２長尺部材３８を備える、見切部材１６」である。
【０００６】
この発明では、クロス１２に生じた汚れ２４や傷２６を第１長尺部材３６の第１見切板３６ｂと第２長尺部材３８の第２見切板３８ｂとによって覆い隠すことができる。また、第１固定板３６ａおよび第２固定板３８ａを切断したり、互いに重ね合わせたりすることができるので、第１見切板３６ｂと第２見切板３８ｂとの間隔を壁１０の厚みに応じて適宜調整することができる。
【０００７】
請求項２に記載した発明は、「開口部１４の内面に取り付けられた既設の開口枠２０を新たな開口枠２２に交換する、開口枠のリフォーム工法であって、（ａ）既設の開口枠２０を開口部１４の内面から取り外し、（ｂ）Ｌ字状の第１長尺部材３６の一方辺３６ｂを壁１０の一方面に配置するとともに他方辺３６ａを開口部１４の内面に配置し、（ｃ）Ｌ字状の第２長尺部材３８の一方辺３８ｂを壁１０の他方面に配置するとともに他方辺３８ａを開口部１４の内面に配置し、（ｄ）第１長尺部材３６および第２長尺部材３８のそれぞれの他方辺３６ａ，３８ａに新たな開口枠２２を重ね合わせてこれを開口部１４の内面に固定する、開口枠のリフォーム工法」である。
【０００８】
この発明において、既設の開口枠２０を開口部１４の内面から取り外すと、壁１０の表面にあるクロス１２に汚れ２４や傷２６が生じる。しかし、これらの汚れ２４や傷２６は、第１長尺部材３６および第２長尺部材３８のそれぞれの他方辺３６ａ，３８ａによって覆い隠されるため、美観が損なわれる心配はない。
【０００９】
請求項３に記載した発明は、請求項２に記載した開口枠のリフォーム工法において、「第１長尺部材３６および第２長尺部材３８のそれぞれの他方辺３６ａ，３８ａを、スペーサ４６を介して開口部１４の内面に配置するようにした」ことを特徴とする。
【００１０】
この発明では、スペーサ４６によって開口枠２２の位置を調整することができる。なお、スペーサ４６を用いると、開口部１４の内面と開口枠２２との間に隙間が生じるが、この隙間は第１長尺部材３６および第２長尺部材３８のそれぞれの一方辺３６ｂ，３８ｂで覆い隠されるため、美観が損なわれる心配はない。
【００１１】
【発明の実施の形態】
図１〜図３を参照して、住宅等の建物における壁１０は、第１壁板１０ａと第２壁板１０ｂとが複数の柱１０ｃによって支持された構造を有しており、第１壁板１０ａおよび第２壁板１０ｂの表面には、クロス１２が貼り付けられている。そして、壁１０における柱１０ｃ間には、通路や収納部（押入れ，クローゼット等）を確保するための開口部１４が設けられている。
【００１２】
本発明が適用された見切部材１６および１８は、開口部１４の内面に取り付けられた引戸用の開口枠２０（図４）を折戸用の開口枠２２（図１）に取り替える際に、クロス１２に生じた汚れ２４や傷２６（図７〜図９）を覆い隠すものである。
【００１３】
ここで、引戸用の開口枠２０は、図４〜図６に示すように、開口部１４の縦辺部に取り付けられる縦枠２０ａと、開口部１４の横辺部に取り付けられる横枠２０ｂとによって構成されており、横枠２０ｂには、「建具」としての引戸２８を摺動させるための溝３０が形成されている。
【００１４】
一方、折戸用の開口枠２２は、図１〜図３に示すように、開口部１４の縦辺部に取り付けられる縦枠２２ａと、開口部１４の横辺部に取り付けられる横枠２２ｂとによって構成されており、横枠２２ｂには、「建具」としての折戸３２を吊下げて摺動させるためのレール３４が取り付けられている。なお、この実施例では、縦枠２２ａと横枠２２ｂとを含めて「開口枠２２」と称するが、狭義には、縦枠２２ａおよび横枠２２ｂのそれぞれが「開口枠」である。
【００１５】
見切部材１６は、開口部１４の縦辺部に取り付けられるものであり、図２および図８に示すように、第１長尺部材３６と第２長尺部材３８によって構成される。
【００１６】
第１長尺部材３６は、開口部１４の内面に固定される第１固定板３６ａと、第１固定板３６ａの幅方向一方端縁から延びて壁１０の一方面に配置される第１見切板３６ｂとによって略Ｌ字状に構成される。
【００１７】
第１見切板３６ｂの幅は、クロス１２に生じた傷２６や汚れ２４（図７，図８）を覆い隠すことのできるように、経験により求められた所定幅に設定され、第１見切板３６ｂの壁１０と対向する面には、壁１０の表面に当接する複数のリブ３６ｃが互いに所定の間隔を隔てて形成される。そして、第１見切板３６ｂの幅方向端部に位置するリブ３６ｃの先端には、壁１０の表面に当接する当接部３６ｄが形成される。
【００１８】
また、第１固定板３６ａと第１見切板３６ｂとの境界付近には、第１固定板３６ａの表面から垂直に立ち上がって、縦枠２２ａの端面に当接する当接部３６ｅが形成される。
【００１９】
第２長尺部材３８は、開口部１４の内面に固定される第２固定板３８ａと、第２固定板３８ａの幅方向一方端縁から延びて壁１０の他方面に配置される第２見切板３８ｂとによって略Ｌ字状に構成される。
【００２０】
第２見切板３８ｂの幅は、クロス１２に生じた傷２６や汚れ２４（図７，図８）を覆い隠すことのできるように、経験により求められた所定幅に設定され、第２見切板３８ｂの壁１０と対向する面には、壁１０の表面に当接する複数のリブ３８ｃが互いに所定の間隔を隔てて形成される。
【００２１】
第１固定板３６ａおよび第２固定板３８ａの幅は、これらを互いに重ね合わせるようにするか否かによって異なり、互いに重ね合わせる場合には、これらの幅の合計寸法が壁１０の厚みよりも十分に長くなるように設定され（図２，図７）、互いに重ね合わせない場合には、これらの幅の合計寸法が壁１０の厚みよりも十分に短くなるように設定される（図示省略）。ただし、第１固定板３６ａおよび／または第２固定板３８ａを切断することによって、これらの幅の合計寸法を壁１０の厚みに応じて調整するようにしてもよい。
【００２２】
見切部材１８は、開口部１４の横辺部に取り付けられるものであり、図３および図９に示すように、第１長尺部材４０と第２長尺部材４２によって構成される。
【００２３】
第１長尺部材４０は、開口部１４の内面に固定される第１固定板４０ａと、第１固定板４０ａの幅方向一方端縁から延びて壁１０の一方面に配置される第１見切板４０ｂとによって略Ｌ字状に構成される。
【００２４】
第１見切板４０ｂの幅は、クロス１２に生じた傷２６や汚れ２４（図９）を覆い隠すことのできるように、経験により求められた所定幅に設定され、第１見切板４０ｂの壁１０と対向する面には、壁１０の表面に当接する複数のリブ４０ｃが互いに所定の間隔を隔てて形成される。そして、第１見切板４０ｂの幅方向端部に位置するリブ４０ｃの先端には、壁１０の表面に当接する当接部４０ｄが形成される。
【００２５】
第２長尺部材４２は、開口部１４の内面に固定される第２固定板４２ａと、第２固定板４２ａの幅方向一方端縁から延びて壁１０の他方面に配置される第２見切板４２ｂとによって略Ｌ字状に構成される。第２見切板４２ｂの幅は、クロス１２に生じた傷２６や汚れ２４（図９）を覆い隠すことのできるように、経験により求められた所定幅に設定される。
【００２６】
第１固定板４０ａおよび第２固定板４２ａの幅は、これらを互いに重ね合わせるようにするか否かによって異なり、互いに重ね合わせない場合には、これらの幅の合計寸法が壁１０の厚みよりも十分に短くなるように設定され（図３，図９）、互いに重ね合わせる場合には、これらの幅の合計寸法が壁１０の厚みよりも十分に長くなるように設定される（図示省略）。ただし、第１固定板４０ａおよび／または第２固定板４２ａを切断することによって、これらの幅の合計寸法を壁１０の厚みに応じて調整するようにしてもよい。
【００２７】
なお、見切部材１６および１８の材質は、特に限定されるものではなく、挽材，合板，木質繊維板（ＩＢ，ＭＤＦ等），木削片板（パーティクルボード，ストランドボード，ＯＳＢ等），集成材などの木質材料、プラスチック材料もしくは金属材料（鉄，アルミ，ステンレス等）またはこれらの複合材料を用いることができる。
【００２８】
また、見切部材１６および１８の表面には、化粧紙，化粧樹脂含浸紙，化粧合成樹脂シート（オレフィンシート，塩ビシート等），化粧単板または突板等のような化粧部材を貼り付けるようにしてもよい。さらに、見切部材１６および１８の表面や化粧部材の表面には、着色塗装，柄模様印刷または透明塗装等を施すようにしてもよい。
【００２９】
本発明の「開口枠のリフォーム工法」を用いて引戸用の開口枠２０（図４）を折戸用の開口枠２２（図１）に交換する際には、まず、図７に示すように、開口枠２０を柱１０ｃに固定していた釘やネジといった固定金具４４を取り外し、開口部１４の内面から開口枠２０を引き剥がす。
【００３０】
続いて、図８に示すように、開口部１４の縦辺部にスペーサ４６および見切部材１６を介して縦枠２２ａを取り付けるとともに、図９に示すように、開口部１４の横辺部にスペーサ４８および見切部材１８を介して横枠２２ｂを取り付ける。
【００３１】
スペーサ４６および４８は、開口枠２２（縦枠２２ａおよび横枠２２ｂ）の取り付け位置を調整するためのものであり、開口枠２２の取り付け位置に応じた厚さを有する長尺板状部材である。
【００３２】
スペーサ４６および４８の材質は、特に限定されるものではなく、挽材，合板，中質繊維板（ＭＤＦ），パーティクルボード，ハードボード，インシュレーションボード（ＩＢ），オリエンテッドストランドボード（ＯＳＢ），単板積層材（ＬＶＬ），単板積層板（ＬＶＢ），集成材もしくはこれらの複合材または無機質含浸木質板等のような「木質材」を用いることができ、また、ロックウール板，ガラス繊維板または金属繊維板等のような「無機質繊維材」を用いることもできる。
【００３３】
開口部１４の縦辺部に縦枠２２ａを取り付ける際には、図２および図８に示すように、まず、スペーサ４６を接着剤または釘やネジといった固定金具等で柱１０ｃに固定する。
【００３４】
続いて、見切部材１６を所定位置に配置する。つまり、Ｌ字状の第１長尺部材３６の一方辺（第１見切板３６ｂ）を壁１０の一方面に配置するとともに、他方辺（第１固定板３６ａ）を開口部１４の内面すなわちスペーサ４６の表面に配置し、また、Ｌ字状の第２長尺部材３８の一方辺（第２見切板３８ｂ）を壁１０の他方面に配置するとともに、他方辺（第２固定板３８ａ）を開口部１４の内面すなわちスペーサ４６の表面に配置する。
【００３５】
そして、第１長尺部材３６および第２長尺部材３８のそれぞれの他方辺（第１固定板３６ａおよび第２固定板３８ａ）に縦枠２２ａを重ね合わせてこれを接着剤または釘やネジといった固定金具５０等で開口部１４の内面に固定する。
【００３６】
一方、開口部１４の横辺部に横枠２２ｂを取り付ける際には、図３および図９に示すように、まず、スペーサ４８を接着剤または釘やネジといった固定金具等で柱１０ｃに固定する。
【００３７】
続いて、見切部材１８を所定位置に配置する。つまり、Ｌ字状の第１長尺部材４０の一方辺（第１見切板４０ｂ）を壁１０の一方面に配置するとともに、他方辺（第１固定板４０ａ）を開口部１４の内面すなわちスペーサ４８の表面に配置し、また、Ｌ字状の第２長尺部材４２の一方辺（第２見切板４２ｂ）を壁１０の他方面に配置するとともに、他方辺（第２固定板４２ａ）を開口部１４の内面すなわちスペーサ４８の表面に配置する。
【００３８】
そして、第１長尺部材４０および第２長尺部材４２のそれぞれの他方辺（第１固定板４０ａおよび第２固定板４２ａ）に横枠２２ｂを重ね合わせてこれを接着剤または釘やネジといった固定金具等で開口部１４の内面に固定する。
【００３９】
この実施例によれば、既設の開口枠２０を新たな開口枠２２に取り替えるようにしているので、折戸３２と開口枠２２とのデザイン上の統一感を保持することができる。また、開口枠２０を取り外す際に壁１０を破壊しないので、リフォーム工事のコストを低く抑えることができる。さらに、クロス１２に生じた汚れ２４や傷２６を見切部材１６および１８によって覆い隠すことができるので、美観が損なわれるのを防止できる。
【００４０】
なお、見切部材１６および１８の一方または双方に対して、図１０および図１１に示すような複数の溝５２を形成し、この溝５２に沿って見切板および固定板の一方または双方を適宜切断して用いるようにしてもよい。この場合、溝５２の形状は、特に限定されるものではなく、図１０に示すようなＶ字状であってもよいし、図１１に示すようなＵ字状またはコ字状であってもよい。
【００４１】
また、上述の実施例では、引戸用の開口枠２０を折戸用の開口枠２２にリフォームする場合について説明したが、本発明は、既設の開口枠を新たな開口枠にリフォームする場合に広く適用できるものであり、建具や開口枠の種類は問題とならない。したがって、たとえば折戸用の開口枠２２を引戸用の開口枠２０にリフォームする場合や、図示しない扉用の開口枠を引戸用の開口枠２０または折戸用の開口枠２２にリフォームする場合にも本発明を適用することができる。
【００４２】
そして、本発明の「開口枠のリフォーム工法」は、引戸，折戸，扉等のような「建具」を取り付けるための開口枠の他、開閉間仕切，壁材，腰壁材，造作材等のような内装材を取り付けるための開口枠にも適用可能である。
【００４３】
さらに、上述の実施例では、見切部材１６の第１長尺部材３６にリブ３６ｃならびに当接部３６ｄおよび３６ｅを形成するとともに第２長尺部材３８にリブ３８ｃを形成し、また、見切部材１８の第１長尺部材４０にリブ４０ｃおよび当接部４０ｄを形成しているが、これらは必ずしも形成する必要はない。
【００４４】
【発明の効果】
請求項１に記載した発明によれば、既設の開口枠を新たな開口枠に取り替えるようにしているので、建具と開口枠とのデザイン上の統一感を保持することができる。また、開口枠を取り外す際に壁を破壊する必要がないので、リフォーム工事のコストを低く抑えることができる。さらに、クロスに生じた汚れや傷を長尺部材によって覆い隠すことができるので、美観が損なわれるのを防止できる。
【００４５】
請求項２に記載した発明によれば、スペーサによって開口枠の位置を調整できるので、新たな開口枠を最適位置に取り付けることができる。
【００４６】
請求項３に記載した発明によれば、開口枠をリフォームする際に壁の表面に汚れや傷が生じた場合でも、その汚れや傷を長尺部材によって覆い隠すことができる。
【図面の簡単な説明】
【図１】開口部，新たな開口枠および折戸を示す図である。
【図２】図１におけるＩＩ−ＩＩ断面図である。
【図３】図１におけるＩＩＩ−ＩＩＩ断面図である。
【図４】開口部，既設の開口枠および引戸を示す図である。
【図５】図４におけるＶ−Ｖ断面図である。
【図６】図４におけるＶＩ−ＶＩ断面図である。
【図７】既設の開口枠を取り外す工程を示す斜視図である。
【図８】新たな開口枠（縦枠）を取り付ける工程を示す斜視図である。
【図９】新たな開口枠（横枠）を取り付ける工程を示す斜視図である。
【図１０】見切部材（縦枠用）の変形例を示す図である。
【図１１】見切部材（横枠用）の変形例を示す図である。
【図１２】一般的な開口部，開口枠および建具（引戸）を示す図である。
【符号の説明】
１０…  壁
１２…  クロス
１４…  開口部
１６，１８…  見切部材
２０，２２…  開口枠
２４…  汚れ
２６…  傷
３６，４０…  第１長尺部材
３６ａ，４０ａ…  第１固定板
３６ｂ，４０ｂ…  第１見切板
３８，４２…  第２長尺部材
３８ａ，４２ａ…  第２固定板
３８ｂ，４２ｂ…  第２見切板
４６，４８…  スペーサ
【図１】
2004239006.tif 000003
【図２】
2004239006.tif 000004
【図３】
2004239006.tif 000005
【図４】
2004239006.tif 000006
【図５】
2004239006.tif 000007
【図６】
2004239006.tif 000008
【図７】
2004239006.tif 000009
【図８】
2004239006.tif 000010
【図９】
2004239006.tif 000011
【図１０】
2004239006.tif 000012
【図１１】
2004239006.tif 000013
【図１２】
2004239006.tif 000014